(57)【要約】【課題】表示体の機器本体への固定の失念を防止できる「機器、表示体用部品及び表示体の固定方法」を提供する。【解決手段】下面に粘着層１１を有するロゴプレート１の下面に、粘着層１１の下面の一部を露出させる切欠部３２を設けた剥離シート３を貼付してロゴプレート用部品を構成する。ロゴプレート用部品を、剥離シート３の切欠部３２の内側に露出している粘着層１１の部分２２１の粘着力によって機器本体２に仮固定した状態で、機器を出荷する（ａ１、ａ２）。機器の使用者は、仮固定されているロゴプレート用部品を機器本体２から取り外し（ｂ１、ｂ２）、ロゴプレート１から剥離シート３を取り外し（ｃ、ｄ）、ロゴプレート１を所望の向きでロゴプレート１の裏面の粘着層１１を用いて機器本体２に固定する（ｅ）。【選択図】図３
2019201096.tif 000002
【特許請求の範囲】
【請求項１】
機器本体と表示体用部品を有し、
前記表示体用部品は、
表示面と、当該表示面と反対側の面上に形成された粘着層を有する表示体と、
前記粘着層を少なくとも部分的に覆うように、剥離可能に前記粘着層上に貼付された剥離シートとを有し、
前記機器本体は、前記表示体が固定される被固定面を有し、
前記表示体用部品は、前記機器本体の前記被固定面と前記表示体との間に前記剥離シートが介在する形態で、前記機器本体の前記被固定面に取り外し可能に貼付されていることを特徴とする機器。
【請求項２】
請求項１記載の機器であって、
前記表示体用部品の剥離シートは、前記表示面と反対側の面の外側に突出した部分であるベロ部を有することを特徴とする機器。
【請求項３】
請求項１または２記載の機器であって、
前記剥離シートは、前記粘着層の一部が露出するように当該粘着層を部分的に覆っており、
前記表示体用部品は、前記粘着層の露出した部分の粘着力によって、前記機器本体の前記被固定面と前記表示体との間に前記剥離シートが介在する形態で、前記機器本体の前記被固定面に取り外し可能に貼付されていることを特徴とする機器。
【請求項４】
請求項１または２記載の機器であって、
前記剥離シートは、前記粘着層の全体を覆っており、
前記表示体用部品は、前記剥離シートと前記機器本体の前記被固定面との間に配置した粘着体の粘着力によって、前記機器本体の前記被固定面と前記表示体との間に前記剥離シートが介在する形態で、前記機器本体の前記被固定面に取り外し可能に貼付されていることを特徴とする機器。
【請求項５】
請求項１、２、３または４記載の機器であって、
前記機器本体は、前記表示体および前記表自体用部品を複数の向きのうちの任意の向きで嵌め込むことのできる、底面が前記被固定面となる窪みを有し、
前記表示体用部品は、前記窪みに嵌め込まれた形態で、前記機器本体の前記被固定面と前記表示体との間に前記剥離シートが介在する形態で、前記機器本体の前記被固定面に取り外し可能に貼付されていることを特徴とする機器。
【請求項６】
請求項３記載の機器であって、
前記機器本体は、前記表示体および前記表自体用部品を複数の向きのうちの任意の向きで嵌め込むことのできる、底面が前記被固定面となると共に照明光の出射面となる窪みを有し、
前記表示体が前記複数の向きのいずれかの向きで前記窪みに嵌め込まれ、当該表示体が、前記機器本体の前記被固定面と当該表示体との間に前記剥離シートを介在させない形態で、直接、前記粘着層の粘着力によって前記被固定面に貼付された状態である最終固定状態において、当該表示体は、前記被固定面から出射された照明光を前記表示面上に所定の発光パターンが形成されるように部分的に前記表示面外まで透過し、
前記剥離シートは、前記表示体用部品を前記被固定面に取り外し可能に貼付したときに、前記最終固定状態において前記所定の発光パターンを形成する光が通る可能性のある前記被固定面の部分に重なる前記粘着層の部分が露出しないように当該粘着層を部分的に覆っていることを特徴とする機器。
【請求項７】
請求項４記載の機器であって、
前記機器本体は、前記表示体および前記表自体用部品を複数の向きのうちの任意の向きで嵌め込むことのできる、底面が前記被固定面となると共に照明光の出射面となる窪みを有し、
前記表示体が前記複数の向きのいずれかの向きで前記窪みに嵌め込まれ、当該表示体が、前記機器本体の前記被固定面と当該表示体との間に前記剥離シートを介在させない形態で、直接、前記粘着層の粘着力によって前記被固定面に貼付された状態である最終固定状態において、当該表示体は、前記被固定面から出射された照明光を前記表示面上に所定の発光パターンが形成されるように部分的に前記表示面外まで透過し、
前記粘着体は、前記表示体用部品を前記被固定面に取り外し可能に貼付したときに、前記最終固定状態において前記所定の発光パターンを形成する光が通る可能性のある前記被固定面の部分に重ならないように配置されていることを特徴とする機器。
【請求項８】
表示面と、当該表示面と反対側の面上に形成された粘着層を有する表示体と、
前記粘着層の一部が露出するように当該粘着層を部分的に覆う、剥離可能に前記粘着層上に貼付された剥離シートとを有することを特徴とする表示体用部品。
【請求項９】
表示面と、当該表示面と反対側の面上に形成された粘着層を有する表示体と、
前記粘着層の覆う、剥離可能に前記粘着層上に貼付された剥離シートと、
前記剥離シートの前記粘着層と反対側の面に配置された粘着体とを有することを特徴とする表示体用部品。
【請求項１０】
表示面と、当該表示面と反対側の面上に形成された粘着層を有する表示体を、機器の被固定面に固定する表示体の固定方法であって、
前記表示体と、前記粘着層を少なくとも部分的に覆うように、剥離可能に前記粘着層上に貼付された剥離シートとを備えた表示体用部品を、前記機器本体の前記被固定面と前記表示体との間に前記剥離シートが介在する形態で、前記機器本体の前記被固定面に取り外し可能に貼付するステップと、
前記表示体用部品を、前記機器本体の前記被固定面から取り外すステップと、
前記表示体から前記剥離シートを剥離するステップと、
前記剥離シートを剥離した前記表示体の前記表示面と反対側の面を前記機器本体の前記被固定面に押し当てて、前記粘着層の粘着力によって当該表示体を前記機器本体の前記被固定面に固定するステップとを有することを特徴とする表示体の固定方法。
【発明の詳細な説明】
【技術分野】
【０００１】
本発明は、表示体を機器に固定する技術に関するものである。
【背景技術】
【０００２】
ロゴプレート等の表示体を機器に固定する技術としては、機器の縦置き／横置きの使用形態に関わらずに表示体を正立させることができるように、表示体を機器に回転可能に連結する技術が知られている（たとえば、特許文献１）。
【先行技術文献】
【特許文献】
【０００３】
【特許文献１】特開２０１４-１３８９６号公報
【発明の概要】
【発明が解決しようとする課題】
【０００４】
上述した、表示体を回転可能に機器に固定する技術によれば、表示体を機器に対して回転可能とする特段の構造や機構を表示体や機器に設ける必要がある。
一方、表示体を機器に固定する手法としては、表示体を粘着により機器に固定する手法が最も簡便で安価な手法である。
しかし、機器の出荷時に表示体を粘着により、縦置き／横置きで使用可能な機器に固定してしまうと、機器の縦置き／横置きの使用形態によっては表示体を正立させることができなくなってしまうことがある。
【０００５】
そこで、表示体を機器に固定せずに機器に同梱して出荷し、使用者において、機器の縦置き／横置きの使用形態に応じた向きで、表示体を機器に粘着して固定することが考えられる。
【０００６】
しかし、このようにすると、使用者が表示体の機器への固定を失念し、表示体の無い状態で機器を使用してしまうことがあり、このことによる問題が生じる場合がある。
すなわち、たとえば、表示体が機器のブランドのロゴを表示したロゴプレートであり、使用者が機器の販売店であり、販売店が機器をロゴプレートを固定せずに展示してしまった場合には、ブランドの宣伝機会の喪失や、機器の美観が損なわれることによる機器の訴求力の低下が生じてしまうことがある。
【０００７】
そこで、本発明は、使用者が所望の向きで表示体を粘着により機器本体に固定可能としつつ、使用者の表示体の機器本体への固定の失念を防止することを課題とする。
【課題を解決するための手段】
【０００８】
前記課題達成のために、本発明は、機器本体と表示体用部品を有する機器を提供する。ここで、前記表示体用部品は、表示面と、当該表示面と反対側の面上に形成された粘着層を有する表示体と、前記粘着層を少なくとも部分的に覆うように、剥離可能に前記粘着層上に貼付された剥離シートとを備え、前記機器本体は、前記表示体が固定される被固定面を備えている。そして、前記表示体用部品は、前記機器本体の前記被固定面と前記表示体との間に前記剥離シートが介在する形態で、前記機器本体の前記被固定面に取り外し可能に貼付されている。
【０００９】
ここで、このような機器は、前記表示体用部品の剥離シートは、前記表示面と反対側の面の外側に突出した部分であるベロ部を備えたものとすることが好ましい。
また、以上の機器は、前記剥離シートが、前記粘着層の一部が露出するように当該粘着層を部分的に覆うものであり、前記表示体用部品が、前記粘着層の露出した部分の粘着力によって、前記機器本体の前記被固定面と前記表示体との間に前記剥離シートが介在する形態で、前記機器本体の前記被固定面に取り外し可能に貼付されているものであってもよい。
【００１０】
また、以上の機器は、前記剥離シートが、前記粘着層の全体を覆うものであり、前記表示体用部品が、前記剥離シートと前記機器本体の前記被固定面との間に配置した粘着体の粘着力によって、前記機器本体の前記被固定面と前記表示体との間に前記剥離シートが介在する形態で、前記機器本体の前記被固定面に取り外し可能に貼付されているものであってもよい。
【００１１】
また、以上の機器は、前記機器本体が、前記表示体および前記表自体用部品を複数の向きのうちの任意の向きで嵌め込むことのできる、底面が前記被固定面となる窪みを有するものであり、前記表示体用部品が、前記窪みに嵌め込まれた形態で、前記機器本体の前記被固定面と前記表示体との間に前記剥離シートが介在する形態で、前記機器本体の前記被固定面に取り外し可能に貼付されているものであってもよい。
【００１２】
ここで、上記した前記剥離シートが、前記粘着層の一部が露出するように当該粘着層を部分的に覆うものである機器は、前記機器本体が、前記表示体および前記表自体用部品を複数の向きのうちの任意の向きで嵌め込むことのできる、底面が前記被固定面となると共に照明光の出射面となる窪みを有するものとしてもよい。また、この場合、前記表示体が前記複数の向きのいずれかの向きで前記窪みに嵌め込まれ、当該表示体が、前記機器本体の前記被固定面と当該表示体との間に前記剥離シートを介在させない形態で、直接、前記粘着層の粘着力によって前記被固定面に貼付された状態である最終固定状態において、当該表示体は、前記被固定面から出射された照明光を前記表示面上に所定の発光パターンが形成されるように部分的に前記表示面外まで透過するものとしてもよい。そして、この場合には、前記剥離シートは、前記表示体用部品を前記被固定面に取り外し可能に貼付したときに、前記最終固定状態において前記所定の発光パターンを形成する光が通る可能性のある前記被固定面の部分に重なる前記粘着層の部分が露出しないように当該粘着層を部分的に覆うようにすることが好ましい。
【００１３】
また、上記した前記剥離シートと前記機器本体の前記被固定面との間に粘着体を配置した機器は、前記機器本体が、前記表示体および前記表自体用部品を複数の向きのうちの任意の向きで嵌め込むことのできる、底面が前記被固定面となると共に照明光の出射面となる窪みを有するものとしてもよい。また、この場合、前記表示体が前記複数の向きのいずれかの向きで前記窪みに嵌め込まれ、当該表示体が、前記機器本体の前記被固定面と当該表示体との間に前記剥離シートを介在させない形態で、直接、前記粘着層の粘着力によって前記被固定面に貼付された状態である最終固定状態において、当該表示体は、前記被固定面から出射された照明光を前記表示面上に所定の発光パターンが形成されるように部分的に前記表示面外まで透過するものとしてもよい。そして、この場合には、前記粘着体は、前記表示体用部品を前記被固定面に取り外し可能に貼付したときに、前記最終固定状態において前記所定の発光パターンを形成する光が通る可能性のある前記被固定面の部分に重ならないように配置することが好ましい。
【００１４】
また、併せて本発明は、表示面と、当該表示面と反対側の面上に形成された粘着層を有する表示体と、前記粘着層の一部が露出するように当該粘着層を部分的に覆う、剥離可能に前記粘着層上に貼付された剥離シートとを有することを特徴とする表示体用部品を提供する。
【００１５】
また、本発明は、表示面と、当該表示面と反対側の面上に形成された粘着層を有する表示体と、前記粘着層の覆う、剥離可能に前記粘着層上に貼付された剥離シートと、前記剥離シートの前記粘着層と反対側の面に配置された粘着体とを有することを特徴とする表示体用部品も提供する。
【００１６】
また、併せて本発明は、表示面と、当該表示面と反対側の面上に形成された粘着層を有する表示体を、機器の被固定面に固定する表示体の固定方法として、前記表示体と、前記粘着層を少なくとも部分的に覆うように、剥離可能に前記粘着層上に貼付された剥離シートとを備えた表示体用部品を、前記機器本体の前記被固定面と前記表示体との間に前記剥離シートが介在する形態で、前記機器本体の前記被固定面に取り外し可能に貼付するステップと、前記表示体用部品を、前記機器本体の前記被固定面から取り外すステップと、前記表示体から前記剥離シートを剥離するステップと、前記剥離シートを剥離した前記表示体の前記表示面と反対側の面を前記機器本体の前記被固定面に押し当てて、前記粘着層の粘着力によって当該表示体を前記機器本体の前記被固定面に固定するステップとを有する表示体の固定方法も提供する。
【００１７】
以上のような機器や、表示体用部品や、表示体の固定方法によれば、表示体の粘着面を少なくとも部分的の覆う剥離シートを備えた表示体用部品を、機器本体に取り外し可能に貼付して出荷するので、機器の使用者は、表示体用部品を機器本体から取り外して、剥離シートを剥離した上で、表示体を、任意の向きで、粘着層の粘着力によって機器本体に固定することができるようになる。また、機器本体と表示体用部品が一体として出荷されるので、使用者が表示体用部品を見落として、表示体の機器本体への固定を失念してしまうことを防止することができる。また、上述したベロ部を設けた場合には、外観に表れるベロ部の存在により、使用者は表示体用部品が仮止めの状態であることを認識できるので、表示体用部品を仮止めのまま使用してしまうことも防止できる。
【発明の効果】
【００１８】
以上のように、本発明によれば、使用者が所望の向きで表示体を粘着により機器本体に固定可能としつつ、使用者の表示体の機器本体への固定の失念を防止することができる。
【図面の簡単な説明】
【００１９】
【図１】本発明の実施形態に係る機器とロゴプレートを示す図である。
【図２】本発明の実施形態に係るロゴプレート用部品を示す図である。
【図３】本発明の実施形態に係るロゴプレートの固定手順を示す図である。
【図４】本発明の実施形態に係るロゴプレート用部品の他の構成例を示す図である。
【図５】本発明の実施形態に係るロゴプレート用部品の他の構成例を示す図である。
【図６】本発明の実施形態に係るロゴプレート用部品の他の構成例と固定手順を示す図である。
【発明を実施するための形態】
【００２０】
以下、本発明の実施形態について説明する。
図１に、本実施形態に係るロゴプレートと機器本体との関係を示す。
図１ａに示すように、ロゴプレート１の上下左右前後を定めるものとして、ロゴプレート１は、上面にブランドのロゴが表されたプレートであり、ロゴプレート１の下面には粘着材の層である粘着層が設けられている。
【００２１】
次に、図１ｂに示すように、機器本体２は、たとえば、オーディオパワーアンプなどの電子機器であり、機器本体２の筐体の一つの面にはロゴプレート１を嵌め込むための窪みである凹部２１が設けられている。
【００２２】
ここで、凹部２１は、ロゴプレート１を少なくとも縦向きと横向きのいずれでも嵌め込むことができる形状を備えている。すなわち、図示した例では、ロゴプレート１の前後左右方向の形状と凹部２１の開口の形状の双方を正方形として、ロゴプレート１を９０度ずつ異なる４つの向きで機器本体２の凹部２１に嵌め込むことができるようになっている。
【００２３】
次に、機器本体２は、縦向きと横向きのいずれでも使用可能であり、使用者は、図１ｃ、ｄに示すように、機器本体２を使用する向きに応じて、ロゴプレート１の向きをロゴが正立して視認される向きに設定した上で、機器本体２の凹部２１に嵌め込み、ロゴプレート１の裏面の粘着層を用いて、ロゴプレート１を機器本体２に固定することができる。
【００２４】
次に、図２に、本実施形態に係るロゴプレート用部品を示す。
図２ａはロゴプレート用部品の後面を表し、図２ｂはロゴプレート用部品の左側面を表し、図２ｃはロゴプレート用部品の上面を表し、図２ｄはロゴプレート用部品の右側面を表し、図２ｅはロゴプレート用部品の下面を表す。なお、ロゴプレート用部品の前面は後面と同様に現れる。
【００２５】
また、図２ｆは図２ｅの断面線ＡＡによる断面を表し、図２ｇは図２ｅの断面線ＢＢによる断面を表している。
図示するように、ロゴプレート用部品は、下面に粘着層１１を有するロゴプレート１の下面に、粘着層１１をほぼ覆うように、剥離シート３を粘着層１１の粘着力によって貼付したものである。ただし、剥離シート３の粘着層１１と当接する面は剥離材の層となっており、剥離シート３はロゴプレート１から比較的弱い力で剥離することができる。
【００２６】
また、剥離シート３は、上下方向にみてロゴプレート１から側方(図では右方）に突出したベロ部３１を備えている。
そして、剥離シート３の上下方向にみてロゴプレート１と重なる範囲内の一部は、剥離シート３の不在部分である切欠部３２となっており、この切欠部３２の内側において、ロゴプレート１の下面の粘着層１１の一部が露出している。すなわち、図示した例では、剥離シート３の上下方向にみてロゴプレート１と重なる範囲の中央に小領域の孔を切欠部３２として設け、ロゴプレート１の下面の粘着層１１の中央部分の小領域が露出するようにしている。
【００２７】
次に、本実施形態に係るロゴプレート１の機器本体２への固定の手順について説明する。
まず、機器本体２の出荷は、図３ａ１、ａ２に示すように、ロゴプレート用部品を剥離シート３ごと、機器本体２の凹部２１に嵌め込んで、剥離シート３の切欠部３２の内側に露出しているロゴプレート１の下面の粘着層１１の部分の粘着力によって機器本体２に粘着させることにより、ロゴプレート用部品を機器本体２に仮固定した状態で行う。
【００２８】
出荷された機器本体２を使用する使用者は、使用開始前に、図３ｂ１、ｂ２に示すように、機器本体２に仮固定されているロゴプレート用部品の剥離シート３のベロ部３１を機器本体２から引き上げることにより、ロゴプレート用部品を機器本体２から取り外す。ここで、剥離シート３の切欠部３２は、切欠部３２の内側に露出している粘着層１１の部分の粘着力が、ロゴプレート用部品が通常の振動によっては機器本体２から脱落せず、かつ、ベロ部３１の引き上げによって、比較的容易にロゴプレート用部品を機器本体２から取り外すことができる粘着力となるサイズに設定する。
【００２９】
そして、次に使用者は、図３ｃに示すように、剥離シート３のベロ部３１をロゴプレート１から離れる方向に引いて、剥離シート３をロゴプレート１から取り外す。
そして、図３ｄに示すように剥離シート３が取り外された状態となったロゴプレート１を、図３ｅに示すように、機器本体２の凹部２１に嵌め込み、ロゴプレート１の裏面の粘着層１１を用いて、ロゴプレート１を機器本体２に固定する。
【００３０】
ここで、このとき使用者は、先に説明した通り、図３ｆ１、ｆ２に示すように、機器本体２を使用する向きに応じて、ロゴが正立して視認される向きにロゴプレート１の向きを設定して、機器本体２の凹部２１に嵌め込み、ロゴプレート１の裏面の粘着層１１を用いて、ロゴプレート１を機器本体２に固定する。
【００３１】
以上、本発明の実施形態について説明した。
ところで、図４ａに示すように、機器本体２が、内部の光源から凹部２１の底に配置したシートレンズ２２を介して照明光を出射するものであり、ロゴプレート１が、機器本体２の凹部２１に固定された状態において、図４ｂに示すように、凹部２１の底から入射する照明光のロゴのパターンを通る部分を透過させることにより、ロゴを光らせるものである場合、図４ｃに示す、凹部２１の底のシートレンズ２２のロゴプレート１を透過する光が通る可能性のある部分２２１は異物が付着しないようにする必要がある。
【００３２】
また、凹部２１の底のシートレンズ２２への異物の付着は、ロゴプレート用部品を機器本体２の凹部２１に仮固定したときの、剥離シート３の切欠部３２の内側に露出しているロゴプレート１の下面の粘着層１１の部分の粘着材のシートレンズ２２への付着に起因して生じ得る。
【００３３】
そこで、このような場合には、たとえば、図４ｄに示すように、剥離シート３の切欠部３２は、ロゴプレート１の固定時に凹部２１の底のシートレンズ２２のロゴプレート１を透過する光が通る可能性のある部分２２１に重ならないように設ける。
【００３４】
なお、凹部２１の底のシートレンズ２２のロゴプレート１を透過する光が通る可能性のある部分２２１は、図４ｅ１、ｅ２、ｅ３、ｅ４に示すように、凹部２１にロゴプレート１を嵌め込める各向きについて、当該向きにロゴプレート１を嵌め込んだときにシートレンズ２２のロゴプレート１を透過する光が通る部分２２２の和となる。
【００３５】
さて、剥離シート３の切欠部３２は、図２や図４に示した配置や形状以外にも様々の配置や形状とすることができる。
すなわち、たとえば、図５ａに示すように切欠部３２を十字状に設けたり、図５ｂに示すように切欠部３２を矩形状に設けたり、図５ｃに示すように切欠部３２を同心円状に設けたり、図５ｄに示すように切欠部３２を１または複数の線状に設ける等してよい。
【００３６】
また、ロゴプレート用部品は、図５ｅ１に示すように粘着層１１の全体が剥離シート３で覆われ、かつ、切欠部３２を覆う剥離シート３の部分３４が剥離シート３の他の部分と分離している状態で製作し、機器本体２への仮固定時に、図５ｅ２に示すように剥離シート３の切欠部３２を覆う部分のみを剥離することにより切欠部３２が形成されるようにしてもよい。
【００３７】
さて、ここで、以上の実施形態では、ロゴプレート用部品の機器本体２への仮固定を剥離シート３の切欠部３２の内側に露出しているロゴプレート１の下面の粘着層１１の部分２２１の粘着力により行ったが、これは、剥離シート３に切欠部３２を設けずに、剥離シート３の下面に両面粘着テープや粘着材などの粘着部材を設けることにより、ロゴプレート用部品の機器本体２への仮固定を行うようにしてもよい。
【００３８】
ここで、このように剥離シート３の下面に粘着部材として両面粘着テープを設けたロゴプレート用部品を図６ａ、ｂ、ｃ、ｄ、ｅに示す。
図６ａはロゴプレート用部品の後面を表し、図６ｂはロゴプレート用部品の左側面を表し、図６ｃはロゴプレート用部品の上面を表し、図６ｄはロゴプレート用部品の右側面を表し、図６ｅはロゴプレート用部品の下面を表す。なお、ロゴプレート用部品の前面は後面と同様に現れる。
【００３９】
図示するように、このロゴプレート用部品では、剥離シート３に切欠部３２を設けずに、剥離シート３の下面の、上下方向に見てロゴプレート１と重なる位置に両面粘着テープ３３を貼り付けている。
【００４０】
このようなロゴプレート用部品によっても、図６ｆ１に示すように、ロゴプレート用部品を機器本体２の凹部２１に嵌め込んで、剥離シート３の下面に貼り付けた両面粘着テープ３３の粘着力によって機器本体２に粘着させることにより、ロゴプレート用部品を機器本体２に仮固定した状態で機器本体２を出荷することができる。
【００４１】
また、出荷された機器本体２を使用する使用者は、使用開始前に、図６ｆ２に示すように、機器本体２に仮固定されているロゴプレート用部品の剥離シート３のベロ部３１を機器本体２から引き上げることにより、ロゴプレート用部品を機器本体２から取り外すことができる。ここで、両面粘着テープ３３の粘着力は、ロゴプレート用部品が通常の振動によっては機器本体２から脱落せず、かつ、ベロ部３１の引き上げによって、比較的容易にロゴプレート用部品を、機器本体２から取り外すことができる粘着力となるように設定する。なお、ベロ部３１の引き上げによって、両面粘着テープ３３が剥離シート３から剥がれて機器本体２の凹部２１の底に残ってしまわないように、両面粘着テープ３３の剥離シート３側の粘着力を、凹部２１の底側に粘着する側の粘着力より大きく設定することが好ましい。
【００４２】
また、使用者は、図６ｆ３に示すように、剥離シート３のベロ部３１をロゴプレート１から離れる方向に引いて、剥離シート３を両面粘着テープ３３と共にロゴプレート１から取り外し。図６ｆ４に示すように剥離シート３が取り外された状態となったロゴプレート１を、図６ｆ５に示すように、所望の向きて、機器本体２の凹部２１に嵌め込み、ロゴプレート１の裏面の粘着層１１を用いて、ロゴプレート１を機器本体２に固定することができる。
【００４３】
なお、このように両面粘着テープ３３等の粘着部材を設けることにより、ロゴプレート用部品の機器本体２への仮固定を行う場合にも、図４に示したように、表示体が、機器本体２の凹部２１の底から入射する照明光のロゴのパターン部分を透過させることにより、ロゴを光らせるものである場合には、ロゴプレート用部品の仮固定時に凹部２１の底のシートレンズ２２のロゴプレート１を透過する光が通る可能性のある部分２２１に重ならないように粘着部材は配置する。
【００４４】
以上のように、本実施形態によれば、ロゴプレート１の粘着面を少なくとも部分的の覆う剥離シート３を備えたロゴプレート用部品を、機器本体２に取り外し可能に貼付して出荷するので、機器の使用者は、ロゴプレート用部品を機器本体２から取り外して、剥離シート３を剥離した上で、ロゴプレート１を、任意の向きで、粘着層１１の粘着力によって機器本体２に固定することができるようになる。また、機器本体２とロゴプレート用部品が一体として出荷されるので、使用者がロゴプレート部品を見落として、ロゴプレート１の機器本体２への固定を失念してしまうことを防止することができる。また、外観に表れるベロ部３１の存在により、使用者はロゴプレート用部品が仮止めの状態であることを認識できるので、ロゴプレート用部品を仮止めのまま使用してしまうことも防止できる。
【００４５】
なお、以上の実施形態では、ロゴプレート１の機器本体２への固定を例にとり説明したが、本実施形態は、機器本体２の装飾用の表示体や、機器本体２の操作に関する情報を表示した表示体や、機器本体２に関する問い合わせ先を表示した表示体等の任意の表示体の機器本体２への固定に同様に適用することができる。
【符号の説明】
【００４６】
１…ロゴプレート、２…機器本体、３…剥離シート、１１…粘着層、２１…凹部、２２…シートレンズ、３１…ベロ部、３２…切欠部、３３…両面粘着テープ。
【図１】
2019201096.tif 000003
【図２】
2019201096.tif 000004
【図３】
2019201096.tif 000005
【図４】
2019201096.tif 000006
【図５】
2019201096.tif 000007
【図６】
2019201096.tif 000008